(57)【特許請求の範囲】
【請求項１】
電気機器収納用箱を複数並べて電気機器収納用箱群を形成し、該電気機器収納用箱の天井板に内部機器と接続される配線を収納する配線用ダクトを配置し、前記配線用ダクトを相互に連結して配線路を形成する電気機器収納用箱の天井配線構造であって、
前記天井板には、内部機器に接続される配線を通すための配線孔が電気機器収納用箱の奥行方向に複数個形成されており、
前記配線用ダクトは、これら複数個の配線孔を跨ぐように、かつ奥行方向の位置を選択可能に前記天井板上に配置されており、
かつ前記配線用ダクトの前後一対の側板の間に、配線分離用の仕切板を設けたことを特徴とする電気機器収納用箱の天井配線構造。
【請求項２】
前記配線用ダクトは、複数個の配線孔のうち少なくとも１つの配線孔の一部のみに跨るように配置されていることを特徴とする請求項１記載の電気機器収納用箱の天井配線構造。
【請求項３】
前記配線用ダクトは、左右方向に延びる側板を備えており、該側板の下側には、天井板に形成された配線孔の左右方向の幅と同幅もしくは広幅の配線用孔を設けたことを特徴とする請求項１または２に記載の電気機器収納用箱の天井配線構造。
【発明の詳細な説明】
【技術分野】
【０００１】
本発明は、ラック、分電盤などの電気機器収納用箱を複数並べて形成される電気機器収納用箱群の天井板上に、電気機器収納用箱の内部の通信機器やサーバなどの配線を収納する配線用ダクトを配置した電気機器収納用箱の天井配線構造に関するものである。
【背景技術】
【０００２】
特許文献１に示すように、ラック、分電盤などの電気機器収納用箱を複数並べて形成される電気機器収納用箱群の天井板には、配線を収納するための配線用ダクトが形成されている。
【０００３】
しかし従来の配線用ダクトは、電気機器収納用箱の天井板を全て覆うように形成されており、電気機器収納用箱の内部から配線を引き出すための配線孔の位置が決定されている。このため内部の機器の配線場所に応じた適切な位置に配線孔がないことがあり、その場合には配線を長くして配線孔を通さねばならず、電気機器収納用箱の内部も配線用ダクトの内部も配線が輻湊してしまうという問題があった。
【０００４】
また、内部の機器の配線場所に応じた適切な位置に配線孔を新たに形成することも考えられるが、配線用ダクトの位置を容易に変更することができないため、この方法も採用することが困難であった。
【０００５】
また、内部機器の搭載状況によって配線容量も変化するが、従来の配線用ダクトは配線容量の変化に対応しにくいという問題があった。
【先行技術文献】
【特許文献】
【０００６】
【特許文献１】特開平８−１０２５９０号公報
【発明の開示】
【発明が解決しようとする課題】
【０００７】
従って本発明の目的は上記した従来の問題点を解決し、電気機器収納用箱の内部機器の配置やその配線容量に応じて、フレキシブルに変更可能な電気機器収納用箱の天井配線構造を提供することである。
【課題を解決するための手段】
【０００８】
上記の課題を解決するためになされた本発明の電気機器収納用箱の天井配線構造は、電気機器収納用箱を複数並べて電気機器収納用箱群を形成し、該電気機器収納用箱の天井板に内部機器と接続される配線を収納する配線用ダクトを配置し、前記配線用ダクトを相互に連結して配線路を形成する電気機器収納用箱の天井配線構造であって、前記天井板には、内部機器に接続される配線を通すための配線孔が電気機器収納用箱の奥行方向に複数個形成されており、前記配線用ダクトは、これら複数個の配線孔を跨ぐように、かつ奥行方向の位置を選択可能に前記天井板上に配置されており、かつ前記配線用ダクトの前後一対の側板の間に、配線分離用の仕切板を設けたことを特徴とするものである。
【０００９】
なお請求項２のように、前記配線用ダクトは、複数個の配線孔のうち少なくとも１つの配線孔の一部のみに跨るように配置されていることが好ましい。
【００１０】
また請求項３のように、前記配線用ダクトは、左右方向に延びる側板を備えており、該側板の天井板側には、天井板に形成された配線孔の左右方向の幅と同幅もしくは広幅の配線用孔を設けることが好ましい。
【発明の効果】
【００１１】
本発明の電気機器収納用箱の天井配線構造によれば、電気機器収納用箱の内部に搭載されるユニットの種類や配線容量に応じて、配線用ダクトを自由に配置することが可能となる。また、天井板に内部機器に接続される配線を通すための配線孔が奥行方向に複数個形成されているので、配線作業も容易に行うことができる。さらに前記配線用ダクトの前後一対の側板の間に、配線分離用の仕切板を設けたので、配線をその種類に応じて分離して配置することができる。
【００１２】
請求項３のように、配線用ダクトの側板の下側に天井板に形成された配線孔の左右方向の幅と同幅もしくは広幅の配線用孔を設けておけば、配線孔の外側からでも配線用ダクトの内側へ配線を通すことが可能となる。
【図面の簡単な説明】
【００１３】
【図１】本発明の天井配線構造が組み込まれた電気機器収納用箱群の斜視図である。
【図２】本発明の天井配線構造が組み込まれた電気機器収納用箱の斜視図である。
【図３】配線用ダクトの斜視図である。
【図４】側板間に仕切板を配置した状態を示す斜視図である。
【図５】第１の実施形態を示す斜視図である。
【図６】第１の実施形態を示す平面図である。
【図７】第１の実施形態の変形例を示す斜視図である。
【図８】第１の実施形態の変形例を示す平面図である。
【図９】第２の実施形態を示す斜視図である。
【図１０】第２の実施形態を示す平面図である。
【図１１】第３の実施形態を示す斜視図である。
【図１２】第３の実施形態を示す平面図である。
【図１３】第４の実施形態を示す斜視図である。
【図１４】第４の実施形態を示す平面図である。
【図１５】第５の実施形態を示す平面図である。
【図１６】第６の実施形態を示す平面図である。
【発明を実施するための形態】
【００１４】
以下に本発明の実施形態を説明する。
図１は本発明の天井配線構造が組み込まれた電気機器収納用箱群の斜視図であり、１はラック、分電盤などの電気機器収納用箱であり、その内部にはサーバその他の電子機器や、ブレーカその他の電気機器などの内部機器が搭載されている。図１はデータセンター等における電気機器収納用箱１を複数並べて配置させた電気機器収納用箱群の配置例を示しており、同一サイズの電気機器収納用箱群が通路２を挟んで列状に配置されている。なお３は電気機器収納用箱１の前面扉、４は側面板、５は背面扉、６は天井板である。図１においては列状に配置された電気機器収納用箱群の前面扉３同士が向かい合うように形成しているが、前面扉３と背面扉５が向かい合うように形成するものであっても良い。
【００１５】
図１に示されるように、各電気機器収納用箱１の天井板６の上には内部機器と接続される配線を収納する配線用ダクト７が配置されている。その構造については後述するが、各電気機器収納用箱１の配線用ダクト７は相互に連結されて配線路を形成し、その内部に配線（図示せず）を這わせることができる。なお、電気機器収納用箱群は２列で形成しているものであるが、１列に形成するものであっても問題ない。
【００１６】
また、８は列状の電気機器収納用箱群の配線用ダクト７、７間に架け渡されたラダーである。このラダー８は電源線や通信線を各列間に架け渡すためのものであり、図１では一方の端部を固定部９によって奥側の配線用ダクト７上に固定され、他方の端部をバンド部１０によって手前側の配線用ダクト７にフレキシブルに支持させてある。このような構造を採用したのは、地震などの外力によって電気機器収納用箱群が列ごとに異なる揺れ方をした場合の列間の間隔変化に対応させるためである。しかし、このラダー８は本発明の対象外であり、以下に本発明の天井配線構造について詳細に説明する。
【００１７】
図２に示すように、電気機器収納用箱１の天井板６には、内部機器に接続される配線を通すための配線孔１１が複数個形成されている。この例では３つの配線孔１１が電気機器収納用箱１の奥行方向に形成されている。これらの配線孔１１は電源線や通信線を通すためのもので、後述するようにその配置は様々である。なお使用しない配線孔１１はブランクパネルで覆うことも可能である。
【００１８】
図３に示すように、配線用ダクト７は前後一対の左右方向に延びる側板１２と、これらの側板１２、１２間を連結する左右の連結レール１３とによって外郭を形成している。側板１２の内側には固定レール１４が取付けられており、これらの固定レール１４によって配線保持レール１５が保持されている。配線保持レール１５は配線の結束具を通すための多数の挿通孔１６を備えている。固定レール１４は断面が略コの字状のもので、側板１２にねじ、溶接などによって固定されている。なお、固定レール１４は配線保持レール１５の保持孔１４ａが複数形成されており、天井板６の配線孔１１の形状に合わせて位置を変更可能な構造としている。保持孔１４ａについては天井板６の配線孔１１に対応する位置には形成しておらず、配線保持レール１５は配線孔１１の左右幅よりも外側に配置されるように形成しており、配線孔１１を通じて配線の出し入れができる構造となっている。また、配線用ダクト７の下端部には電気機器収納用箱１の天井板６への取付部１７が設けられている。具体的には、連結レール１３に天井板６へ取付用の係止片を設けたり、ねじ孔を設けておけばよい。
【００１９】
配線用ダクト７は、電気機器収納用箱１の天井板６に形成された複数個の配線孔１１を跨ぐように配置されている。すなわち、固定レール１４や配線保持レール１５は配線孔１１の左右幅よりも外側に配置されており、配線孔１１を通じて配線の出し入れができる構造となっている。また、配線用ダクト７は、その取付け位置を天井板６の奥行方向に選択可能に配置されている。このためには例えば図２に示すように天井板６に複数のねじ孔等の取付孔１８を形成しておき、奥行方向の取付位置を可変としておくものとする。
【００２０】
側板１２は配線が見えないように隠すブランクパネルの役割と、配線が崩れないように保持する役割とを持つ。図３に示されるように、側板１２の下側の中央部及び左右端部には配線用孔１９、１９が形成されている。これらは配線用ダクト７の外側から入線または出線するために用いられる。中央部の配線用孔１９は天井板６に形成された配線孔１１の左右方向の幅と同幅もしくは広幅としておく。これにより配線孔１１から配線を引き込む際に配線用孔１９の端部に配線が接触して被覆が破れることを防止している。
【００２１】
図４は前後の側板１２、１２間に仕切板２０を配置した状態を示す斜視図である。この例では配線保持レール１５に形成された取付孔２３や、図３のような挿通孔１６を利用して垂直に延びる保持部材２１を、仕切板２０の両側に取付ける。そして、保持部材２１に形成した固定部（図示しない）を配線保持レール１５に固定すれば、仕切板２０に前後方向に対して十分な強度を持たせることができる。なお保持部材２１の上端部にも係止片２２を形成し、仕切板２０のこれに対応する位置にも係止片の係合部を形成しておけば、仕切板２０をより確実に支持することができる。
【００２２】
次に配線孔１１のレイアウトと内部機器の関係を説明する。
内部機器がサーバである場合には、サーバに接続される通信線等は前面扉３方向に形成され、外部からの電源は背面扉５側から出線されるものが多い。このため、図５、図６に示すように最も背面側の配線孔１１は電源線用の配線孔１１ａ、前面扉側に通信線用の配線孔１１ｂが形成されるのが一般的である。また、通信線は電源線よりも配線量が多くなるので、通信線用の配線孔１１ｂの方が大きく形成されている。
【００２３】
また図５、図６に示すように、天井板６の中央にも通信線用の配線孔１１ｃが形成されることがある。例えば電気機器収納用箱１前方にコネクタ接続用のパッチパネルが配置されるような場合がある。データセンタ事業者がパッチパネルの背面側に通信線を接続し、利用者がパッチパネル前側からコネクタ接続した通信線を引き出し電気機器収納用箱１内部のHUB等の機器に接続することで、事業者の通信回線を使用することが可能となる。このようなコネクタは必ずしも同一の電気機器収納用箱１だけではなく、他の電気機器収納用箱１から引いてくることもあり、そのような場合には中央の通信線用の配線孔１１ｃから引き込み、前方に接続される配線も必ずしも同一の電気機器収納用箱１だけではないため、前方の通信線用の配線孔１１ｂから出線させる。
【００２４】
このように、配線孔１１のレイアウトやその配線孔１１を通る配線容量は様々である。しかし本発明の配線用ダクト７は電気機器収納用箱１の奥行方向に位置を変えることができるので、フレキシブルな対応が可能である。以下に具体的に説明する。
【００２５】
図５、図６に示す第１の実施形態は、電源線と通信線の入出線量とがほぼ同じである場合を示している。図６に示すように配線用ダクト７の奥側の側板１２は電源線用の配線孔１１ａの奥側に位置し、前側の側板１２は中央の通信線用の配線孔１１ｃの前方から１/３程度の位置を跨いでいる。このような構成を採用することにより、一つの配線用ダクト７の内部に電源線と通信線の両方を引き込んで保持させることが可能となる。なお前記したように側板１２の下部には、配線孔１１の左右方向の幅と同幅もしくは広幅の配線用孔１９が形成されているので、配線用ダクト７の下側からのみならず、側面下方方向からも配線用ダクト７の内部に配線の引き込みが可能である。
【００２６】
このように同一の配線用ダクト７の内部に電源線と通信線の両方を保持させる場合には、図７、図８に示すように仕切板２０を配置し、両方の配線を分離することが好ましい。仕切板２０の取付位置も奥行方向に可変としておき、配線量に応じて区分する。なお配線用ダクト７で覆った配線孔１１の面積比と仕切板２０による配線用ダクト７内の面積比をほぼ同一としておくことが、最も好ましい。
【００２７】
図９、図１０に示す第２の実施形態は、電気機器収納用箱１の内部機器に接続される通信線は天井板６の配線孔１１から入線/出線されるが、電源線の一部が電気機器収納用箱１の床面側から入線/出線される場合である。このような場合には電源線用の配線孔１１ａの開口面積を小さくすることができるので、配線用ダクト７は電源線用の配線孔１１ａの一部のみに跨り、中央の通信線用の配線孔１１ｃを全て覆うように配置されている。
【００２８】
図１１、図１２に示す第３の実施形態は、電気機器収納用箱１の内部機器に接続される通信線は天井板６の配線孔１１から入線/出線されるが、電源線の全てが電気機器収納用箱１の床面側から入線/出線される場合である。このような場合には電源線用の配線孔１１ａは必要がなくなるので、配線用ダクト７は中央の通信線用の配線孔１１ｃの一部のみに跨り、前面扉側の通信線用の配線孔１１ｂを全て覆うように配置されている。
【００２９】
図１３、図１４に示す第４の実施形態は、実施形態３と同様に、通信線は全て天井板６の配線孔１１から入線/出線されるが、電源線の全てが電気機器収納用箱１の床面側から入線/出線される場合であり、電気機器収納用箱１の内部に形成されるユニットの配置位置の関係上、中央の通信線用の配線孔１１ｃと前面扉側の通信線用の配線孔１１ｂから通信線を入線/出線する必要がある場合を示している。この実施形態では、これらの２つの配線孔１１ｃと配線孔１１ｂを跨ぐように、仕切板２０を備えた配線用ダクト７が設置されている。
【００３０】
図１５は第５の実施形態であり、配線用ダクト７が３つの配線孔１１ａ、１１ｂ、１１ｃを跨ぐように設置された例を示している。このように配線孔１１ａ、１１ｂの配線用ダクト７の内側に開口する面積が小さくても、電気機器収納用箱１の内部温度測定用のセンサの配線を通す場合などには問題がない。
【００３１】
図１６は第６の実施形態であり、単一の配線孔１１ｂのみを跨ぐように配線用ダクト７が設置された例を示している。このように必要となる配線容量に応じて、配線用ダクト７に設置位置は自由に変更することが可能である。
【００３２】
上記に示したように、複数の配線孔１１に跨るように配線用ダクト７を形成するものであるので、電気機器収納用箱１全体の配線容量、配線箇所に応じて配線用ダクト７の位置を変更することは勿論のこと、1つの配線孔の配線容量に応じてもフレキシブルな対応が可能となるものである。また、天井板６に内部機器に接続される配線を通すための配線孔１１が奥行方向に複数個形成されているので、配線作業も容易に行うことができるものである。
【符号の説明】
【００３３】
１  電気機器収納用箱
２  通路
３  前面扉
４  側面板
５  背面扉
６  天井板
７  配線用ダクト
８  ラダー
９  固定部
１０  バンド部
１１  配線孔
１１ａ  電源線用の配線孔
１１ｂ、１１ｃ  通信線用の配線孔
１２  側板
１３  連結レール
１４  固定レール
１４ａ  保持孔
１５  配線保持レール
１６  挿通孔
１７  取付部
１８  取付孔
１９  配線用孔
２０  仕切板
２１  保持部材
２２  係止片
２３  取付孔
【図１】
0005924115.tif 000002
【図２】
0005924115.tif 000003
【図３】
0005924115.tif 000004
【図４】
0005924115.tif 000005
【図５】
0005924115.tif 000006
【図６】
0005924115.tif 000007
【図７】
0005924115.tif 000008
【図８】
0005924115.tif 000009
【図９】
0005924115.tif 000010
【図１０】
0005924115.tif 000011
【図１１】
0005924115.tif 000012
【図１２】
0005924115.tif 000013
【図１３】
0005924115.tif 000014
【図１４】
0005924115.tif 000015
【図１５】
0005924115.tif 000016
【図１６】
0005924115.tif 000017